(57)【要約】      （修正有）【課題】案内装置の強度を低下させること無く、安価に、ディスク案内装置のスペーサ位置調整装置を提供する。【解決手段】平板状のベースプレート３６、固定スペーサ３２、前記固定スペーサに対しディスクの直径に相当する所定の間隔で配置され、かつ、位置調整用長孔を有する調整スペーサ３０、及び、サポートプレート３４，３８，４０を備え、ホッパーから１つずつ送り出されるディスクを一列に並べて誘導する案内通路を構成するディスク案内装置において、前記調整スペーサの調整用長孔５０に前記固定スペーサとの平行度を表す目印手段を設け、前記サポートプレートは前記一対のスペーサに対し共通であり、かつ、前記調整スペーサに相対する位置にサポート長孔５７Ａ，５７Ｂを有し、この長孔に前記固定スペーサとの平行度を表すサポート目印手段を設け、前記調整スペーサに前記サポート長孔に挿入可能な突起６３Ａ，６３Ｂを形成したことを特徴とする。【選択図】図２
2005011127.tif 000002
【特許請求の範囲】
【請求項１】
複数のスクリュウ孔（５４）を有する平板状のベースプレート（３６、４２）、前記ベースプレート（３６、４２）に対し位置調整不能に取り付た固定スペーサ（３２）、前記固定スペーサ（３２）に対し案内されるディスク（１４）の直径に相当する所定の間隔で配置され、かつ、位置調整用長孔（５０）を有する調整スペーサ（３０）、及び、前記固定スペーサ（３２）と調整スペーサ（３０）の反ベースプレート（３６）側に位置し、前記スクリュウ孔（５４）に相対して形成した通孔（４７）を有するサポートプレート（３４、３８、４０、４４）を備え、固定用のスクリュウ（５２）を前記通孔（４７）及び前記長孔（５０）を貫通して前記スクリュウ孔（５４）にねじ込むことにより、ホッパー（１０）から１つずつ送り出されるディスク（１４）を一列に並べて誘導するディスク通路（５６）を構成するディスク案内装置において、前記調整スペーサ（３０）の調整用長孔（５０）に前記固定スペーサ（３２）との平行度を表す目印手段（５５）を設け、前記サポートプレート（３４、３８、４０、４４）は前記一対のスペーサ（３０、３２）に対し共通であり、かつ、前記調整スペーサ（３０）に相対する位置にサポート長孔（５７Ａ、５７Ｂ）を有し、これら長孔（５７Ａ、５７Ｂ）に前記固定スペーサ（３２）との平行度を表すサポート目印手段（６５）を設け、前記調整スペーサ（３０）に前記サポート長孔（５７Ａ、５７Ｂ）に挿入可能な突起（６３Ａ、６３Ｂ）を形成したことを特徴とするディスクの案内装置のスペーサ位置調整装置。
【発明の詳細な説明】
【０００１】
【発明が属する技術分野】
本発明は、周面が接触した状態で一列に整列したディスクを案内するディスク案内装置のスペーサ位置調整装置に関する。
特に、使用するディスクの直径が変更された場合、その直径に対する対応調整が容易なディスク案内装置のスペーサ位置調整装置の改良に関する。
さらに詳しくは、使用するディスクの直径が変更された場合、部品を交換することなくその直径に対応できるよう容易にスペーサの位置が変更できるディスク案内装置のスペーサ位置調整装置の改良に関する。
なお、本明細書で使用する「ディスク」は、通貨であるコイン、ゲーム機のメダルやトークン等の代用貨幣、及び、それらと類似のものを包含する。
【０００２】
【従来の技術】
従来技術として、矩形板のサイドにボルト用のナット孔が形成されていると共に位置決め用の楕円孔ならびに小孔が所望個数形成されているコイン通路用のベース板と、細長い板であって前記ナット孔に対応して横長孔が形成されていると共に前記楕円孔に填め込まれるビス用のネジ孔が形成され更に前記小孔に填め込まれる突き出し部が形成されているコイン通路高さ用のスペイサと、前記ナット孔に対応して横長孔が形成されていると共に前記ビス頭部を填め込む縦長孔が形成され更に前記突き出し部の窪みに填め込まれる突き出し部が形成されているコイン通路用のカバー板とを備えていることを特徴としたエスカレータ装置のスペーサ位置調整装置が知られている（例えば、特許資料１参照。）。
【０００３】
【特許資料１】
特開２０００−０５７４１３（図２、３、第３―５頁）
【０００４】
この従来技術は、ベース板に形成した複数の小穴、スペーサに形成された突き出し部及びカバー板に形成した突き出し部によって、スペーサの位置決めがなされる。
詳述すれば、スペーサの突き出し部をベース板の所定の小穴に挿入することにより、所定の直径のディスクに対するスペーサの位置決めが自動的に行われる。
この構成において、ベース板に小穴が複数形成されるので、ベース板の強度低下を招く。
案内装置が撓んだ場合、ディスクの案内通路の厚みが薄くなるためディスクがスムーズに移動出来ないという問題がある。
また、多数の小穴を形成するので、ドリル加工が増加し、コストが高い欠点がある。
【０００５】
【発明が解決しようとする課題】
本発明の第１の目的は、案内装置の強度を低下させること無くスペーサの位置調整が容易にできるディスク案内装置のスペーサ位置調整装置を提供することである。
本発明の第２の目的は、ディスク案内装置のスペーサ位置調整装置を安価に提供することである。
【０００６】
【課題を解決するための手段】
この目的を達成するため、第一の発明にかかるディスク案内装置のスペーサ位置調整装置は以下のように構成される。
複数のスクリュウ孔を有する平板状のベースプレート、前記ベースプレートに対し位置調整不能に取り付た固定スペーサ、前記固定スペーサに対し案内されるディスクの直径に相当する所定の間隔で配置され、かつ、位置調整用長孔を有する調整スペーサ、及び、前記固定スペーサと調整スペーサの反ベースプレート側に位置し、前記スクリュウ孔に相対して形成した通孔を有するサポートプレートを備え、固定スクリュウを前記通孔及び前記長孔を貫通して前記スクリュウ孔にねじ込むことにより、ホッパーから１つずつ送り出されるディスクを一列に並べて誘導する案内通路を構成するディスク案内装置において、前記調整スペーサの調整用長孔に前記固定スペーサとの平行度を表す目印手段を設け、前記サポートプレートは前記一対のスペーサに対し共通であり、かつ、前記調整スペーサに相対する位置にサポート長孔を有し、この長孔に前記固定スペーサとの平行度を表すサポート目印手段を設け、前記調整スペーサに前記サポート長孔に挿入可能な突起を形成したことを特徴とするディスクの案内装置のスペーサ位置調整装置である。
【０００７】
この構成において、調整スペーサは、その長孔に配置したスペーサ目印手段の所定の目印とベースプレートのスクリュウ孔とが所定の位置関係になるよう調整することにより、固定スペーサとの平行度が保たれる。
この後、サポートプレートの長孔の所定位置のサポート目印に合わせて調整スペーサの突起を挿入することにより、調整スペーサの位置が仮決めされる。
【０００８】
詳述すると、サポートプレートは、固定スペーサ及び調整スペーサに共通であり、かつ、一体であるため、固定スペーサに対し所定の位置に位置決めされるので、ベースに対する位置も所定の位置に位置決めされる。
換言すれば、調整スペーサと固定スペーサの間隔は、調整スペーサの突起とサポートプレートの長孔のサポート目印手段との位置関係によって決定されるので、サポート目印手段の所定位置に突起を合わせることにより、固定スペーサの間隔と平行度が所定値に設定される。
【０００９】
その後、サポートの通孔及び調整スペーサの長孔を貫通するスクリュウをベースプレートのスクリュウ孔にねじ込むことにより、それらを一体化し、ディスク案内装置を構成する。
したがって、ベースプレートに位置調整用の複数の独立した孔加工をしないので、ベースプレートの強度は減少しない。
【００１０】
本発明において、前記目印手段は複数の丸孔をずらして形成した波形壁であることが好ましい。
この構成において、波形壁は、プレス加工等で一回で加工することができ、安価に製作できる。
【００１１】
【発明の実施の形態】
図１は、本発明の実施例を装着した案内装置の斜視図である。
図２は、本発明の実施例の案内装置の部分拡大図である。
図３は、図２におけるＸ面断面図である。
図４は、調整スペーサとベースプレートの部分正面図である。
図５は、サポートプレートの部分正面図である。
【００１２】
図１において、ホッパ１０はフレーム１２と、フレーム１２に固定され、かつ、ディスク１４を貯留する筒形のボウル１６と、ボウル１６の底部において傾斜配置されたディスク１４の送り出し用の回転ディスク１８を有する。
【００１３】
ディスク案内装置２０は、回転ディスク１８からディスク１４を受け入れる傾斜部案内装置２２、傾斜部案内装置２２に接続し、垂直上方へ方向を変える湾曲部案内装置２４と、湾曲部案内装置２４に接続し、垂直上方へ延びる直線部案内装置２６とを有する。
傾斜部案内装置２２は、フレーム１２を構成するベース２８、調整スペーサ３０、固定スペーサ３２及び傾斜部サポートプレート３４により構成されている。
【００１４】
湾曲部案内装置２４は、縦長板状であって、長手方向中間において湾曲している湾曲部ベースプレート３６、調整スペーサ３０、固定スペーサ３２、湾曲部サポートプレート３８及び湾曲部直状サポートプレート４０を含んでいる。
湾曲部ベースプレート３６の下端部は、フレーム１２に固定され、ホッパ１０に一体化されている。
【００１５】
直線部案内装置２６は同様に直線部ベースプレート４２、一対のスペーサ（図示せず）及び直線部サポートプレート４４を含んでいる。
一対のスペーサは、上記の調整スペーサ３０及び固定スペーサ３２と同様に形成されるが、何れも直線状である。
直線部ベースプレート４２の下端部は、湾曲部ベースプレート３６の上端部に着脱可能に取り付けられる。
また、直線部ベースプレート４２の上端部はゲーム機のフレーム（図示せず）に固定される。
【００１６】
換言すると、直線部案内装置２６と湾曲部案内装置２４は、分離可能である。
次に湾曲部案内装置２４の構造を詳述する。
湾曲部案内装置２４の湾曲部ベースプレート３６には、湾曲部ベースプレート３６の補強用及びディスク通路からの摩耗粉等の除去のため、その中央部に長手方向に伸びる凹溝５１が形成してある。
なお、この凹溝５１の底部に摩耗粉排出用の開口を形成してもよい。
【００１７】
湾曲部案内装置２４において、ベースプレート３６にあてがって調整スペーサ３０及び固定スペーサ３２を所定の間隔で長手方向に平行に配置し、ベースプレート３６の反対側から傾斜部サポートプレート３４、湾曲部サポートプレート３８及び直状サポートプレート４０をあてがい、それらの通孔４６及びスペーサ３０、３２の通孔４８、長穴５０をそれぞれ貫通するスクリュウ５２をベースプレート３６のスクリュウ孔５４にねじ込むことにより、一体化してある。
【００１８】
これらベースプレート３６、スペーサ３０、３２及びサポートプレート３４、３８、４０に囲まれて、ディスク通路５６が形成される。
サポートプレート３８の固定スペーサ３２に相対する通孔４６及び固定スペーサ３２の通孔４８は、スクリュウ５２よりも僅かに大径の円孔であり、所定の間隔で形成してある。
したがって、固定スペーサ３２は、ベースプレート３６に対し、固定状態に取り付けられる。
【００１９】
調整スペーサ３０の通孔は、ディスク通路５６の長手方向に対し直交する方向に長孔に形成されている。
これにより、調整スペーサ３０は、ディスク通路５６の幅方向に位置調整可能である。
換言すれば、ディスク１４の直径に適合するように位置調整可能である。
したがって、調整スペーサ３０に相対するベースプレート３６のスクリュウ孔５４とサポートプレート３４、３８、４０の通孔４６の位置は、ディスク通路５６を通過する最大直径のディスク１４を想定した位置に形成される。
【００２０】
詳細には、調整スペーサ３０を最大直径のディスク１４に適合するように位置調整した場合、図２においてそれらは長孔４７の左端に相対して位置する。
調整スペーサ３０の長孔５０の内、上下端部に位置する長孔５０Ａ、５０Ｂは、図４に示すように、丸孔５１Ａ、５１Ｂ、５１Ｃ、５１Ｄをディスク通路５６に対し直交方向に僅かにずらしてドリル加工することにより、連続した一つの長孔に形成されている。
換言すれば、円孔の接続部が内方に僅かに突出する凸部５３Ａ、５３Ｂ、５３Ｃを形成し、全体として波形の壁面である。
これら凸部５３Ａ、５３Ｂ、５３Ｃは、位置調整する際の目印手段５５である。
この波形壁面は、同様に形成したポンチ及びダイスにより一回のプレス加工で形成することができ、この場合、安価である。
【００２１】
この目印手段５５は、長孔５０Ａ、５０Ｂの長辺に相対して形成されているが、片側のみであってもよい。
また、目印手段５５は、全ての長孔５０に配置してもよいが、安価に製作するため、少ない方がよい。
スクリュウ５２は、長孔５０Ａ、５０Ｂにおいて、それら凸部５３Ａ、５３Ｂ、５３Ｃに囲まれた丸孔５１Ａ、５１Ｂ、５１Ｃ、５１Ｄの何れか一カ所において貫通することができ、凸部５３Ａ、５３Ｂ、５３Ｃ部では貫通することが出来ない。
【００２２】
したがって、調整スペーサ３０は、丸孔５１Ａ、５１Ｂ、５１Ｃ、５１Ｄに適合する位置において、固定スペーサ３２との距離が段階的に決定される。
すなわち、上下の長孔５０Ａ及び５０Ｂにおていスクリュウ５２が貫通する丸孔５１Ａ、５１Ｂ、５１Ｃ、５１Ｄを同一にすることにより、固定スペーサ３２と調整スペーサ３０の平行度が確保される。
換言すれば、目印手段５５と調整スペーサ３０の固定用のスクリュウ５２（スクリュウ孔５４）との位置関係を同一にすることにより、固定スペーサ３２と調整スペーサ３０との平行度を確保できる。
【００２３】
目印手段５５は、上記波形壁面に限られない。
例えば、長孔５０の近傍に調整スペーサ３０の長手方向に伸びる直線を一本以上、プリント、刻印またはマークが印刷されたシールを貼付する等により表示することができる。
さらに、長孔５０Ａ近傍の直状部サポートプレート４０及び長孔５０Ｂ近傍の傾斜部サポートプレート３４にサポート目印手段６５である長孔５７Ａ、５７Ｂが形成されている。
【００２４】
これら長孔５７Ａ、５７Ｂは、ディスク通路５６の長手方向に対し直交する方向に伸びており、図５に示すように、長孔５０Ａ、５０Ｂと同様、丸孔５９Ａ、５９Ｂ、５９Ｃ、５９Ｄが横方向に僅かにずれて形成されており、それら丸孔の間に突起６１Ａ、６１Ｂ、６１Ｃが形成された波形壁が相対して形成されている。
これら突起６１Ａ、６１Ｂ、６１Ｃがサポート目印手段６５である。
このサポート目印手段６５は、波形壁に代えて調整スペーサ３０の長手方向に伸びる直線を一本以上、刻印またはマークが印刷されたシールを貼付する等により表示することが出来る。
【００２５】
長孔５７Ａ、５７Ｂに相対して、調整スペーサ３０に突起６３Ａ、６３Ｂが形成されている。
突起６３Ａ、６３Ｂは、丸孔５９Ａ、５９Ｂ、５９Ｃ、５９Ｄに填り合うよう円柱状にプレス加工などによって形成されている。
これらサポート目印長孔５７Ａ、５７Ｂと突起６３Ａ、６３Ｂによって、調整スペーサ位置決め手段６７Ａ、６７Ｂを構成している。
これら突起６３Ａ、６３Ｂは、調整スペーサ３０の両端部近傍に配置すれば良いが、中間にも配置することができる。
【００２６】
例えば、湾曲部サポートプレート３８にサポート目印長孔を形成し、相対する調整スペーサ位置に突起を形成する。
このように、サポートプレート４０、３４のサポート目印用の長孔５７Ａ、５７Ｂの所定の位置の丸孔、例えば図５に示すように突起６３Ａを最右側の丸孔５９Ｄに挿入し、同様に突起６３Ｂを最右側の丸孔５９Ｄに挿入することにより、最も直径の大きいディスク１４に相対した位置に自動的に設定される。
そのとき、調整スペーサ３０の丸孔５１Ａがスクリュウ孔５４に相対するようにしてある。
【００２７】
すなわち、サポートプレート３４はベース２８に固定され、サポートプレート４０は、ベース２８と実質一体のベースプレート３６に固定されるので、突起６３Ａ及び６３Ｂをそれぞれ同一の所定の丸孔５９Ａ、５９Ｂ、５９Ｃ及び５９Ｄの一つに挿入することにより、自動的に調整スペーサ３０の位置が決定される。
この後、スクリュウ５２を通孔４７、長孔５０、５０Ａ及び５０Ｂを介してスクリュウ孔５４にねじ込むことにより、案内装置２４を構成する。
このとき、サポートプレート３８部において、何ら位置合わせをすることなく、通孔４７、長孔５０を介してスクリュウ５２をスクリュウ孔５４にねじ込めばよい。
【００２８】
ディスク通路５６は、図３に示すように、その長手に直交する断面が矩形である。
スペーサ３０、３２は、所定の厚みと幅を有している。
図３に示すように、サポートプレート３８は、ディスク通路５６に相対する中央部がベースプレート３６側に凸状に形成されたガイド部５８を有している。
ガイド部５８は、図３に示すように、ディスク通路５６の長手方向に伸びる一条の面に形成してある。
【００２９】
換言すれば、サポートプレート３８は、長手方向に伸びる右サイド部６０並びに左サイド部６２、及びそれらの間に位置するガイド部５８を有している。
ガイド部５８の長手方向の端部において、それらサイド部を接続するステー部６４を有している。
ステー部６４は、図２に示すように、サポートプレート３８の端部に配置することが強度向上のため好ましい。
さらに強度を向上するため、両端のステー部の間に一つ以上のステー部を配置することが出来る。
【００３０】
このように、サポートプレート３８を断面凸状に構成することにより、そのヤング率が大幅に向上することは明らかである。
したがって、ベースプレート３６、固定スペーサ３０、調整スペーサ３２及びサポートプレート３８がスクリュウ５２で一体化された場合、湾曲部案内装置２４のヤング率は大幅に向上する。
結果として、湾曲部案内装置２４の強度が向上する。
【００３１】
また、従来のベースプレート３６の凹溝５１と組み合わせることにより、大幅に強度が向上する。
使用するディスク１４の厚みが変更された場合、ガイド部５８の凸量が異なるサポートプレート３８に交換する。
換言すれば、ディスク１４の厚みが増加した場合、凸量が小さいサポートプレート３８に交換し、薄い場合、凸量が大きいサポートプレート３８に交換する。
【００３２】
この凸量は、ディスク１４の直径及び厚みに基づいて適当な余裕代を加味して設定される。
また、凸量の変更が大きい場合、厚みの異なる固定スペーサ３２、調整スペーサ３０及び適当なサポートプレート３８の凸量の組み合わせにより対応することができる。
覗き孔５９がサポートプレート３８の長手方向の中央部であるガイド部５８に形成されている。
覗き孔５９によって、ディスク通路５６、換言すればディスク通路５６内を移動するディスク１４の挙動を目視することができる。
【００３３】
このディスク１４の挙動に基づいて、サポートプレート３８の凸量を決定する。
特に、湾曲部案内装置２４において、ディスク１４はその上縁と下縁がベースプレート３６、中央部がガイド部５８に案内されつつ移動するので、ディスク１４の厚みが見かけ上増加する。
【００３４】
結果として、湾曲部案内装置２４におけるサポートプレート３８の凸量と直線部案内装置２６におけるサポートプレート４４の凸量とは異なる。
したがって、実施例のように湾曲部サポートプレート３８を直線部案内装置２６のサポートプレート４４と分離したことにより、湾曲部サポートプレート３８のみを交換して調整できるので、簡単に調整できる利点がある。
【００３５】
直線部案内装置２６の構造は、湾曲していないことを除けば前記湾曲部案内装置２４と同一である。
湾曲部直状サポートプレート４０は、湾曲サポートプレート３８と同様にその長手方向中央に凸状に形成したガイド部５８及び覗き孔７２を有している。
直線部案内装置２６の直線部サポートプレート４４も同様に長手方向中央に凸状に形成したガイド部及び覗き孔７６、ステー７４を有している。
案内装置２０の長さを変更する場合、直線部案内装置２６の長さを変更する。
【００３６】
直線部案内装置２６の下部にディスク１４の保持装置７８が配置されている。
保持装置７８は、ディスク通路５６内のディスク１４が重力により落下するのを防止する機能を有している。
【００３７】
【発明の効果】
本発明によれば、ベースプレートに位置調整用に独立した孔加工をしないので、ベースプレートの強度を減少させることがなく調整スペーサの位置調整を容易に行うことができる。
また、目印手段が複数の丸孔をずらして形成した波形壁である場合、波形のポンチ及びダイスを使用することによりプレス加工等で一回で加工することができ、安価に製作できる。
【００３８】
【図面の簡単な説明】
【図１】図１は、本発明の実施例を装着した案内装置の斜視図である。
【図２】図２は、本発明の実施例の案内装置の部分拡大図である。
【図３】図３は、図２におけるＸ面断面図である。
【図４】図４は、調整スペーサとベースプレートの部分正面図である。
【図５】図５は、サポートプレートの部分正面図である。
【符号の説明】
１０  ホッパー
１４  ディスク
３０  調整スペーサ
３２  固定スペーサ
３４、３８、４０、４４  サポートプレート
３６、４２  ベースプレート
４７  通孔
５０  長孔
５２  スクリュウ
５４  スクリュウ孔
５５  目印手段
５６  ディスク通路
５７Ａ、５７Ｂ  サポート長孔
６３Ａ、６３Ｂ  突起
６５  サポート目印手段
【図１】
2005011127.tif 000003
【図２】
2005011127.tif 000004
【図３】
2005011127.tif 000005
【図４】
2005011127.tif 000006
【図５】
2005011127.tif 000007